(57)【要約】【課題】水蒸気透過膜と枠体間の隙間をガスが抜けるクロスリーク現象を効果的に抑制し、かつ加湿ガスと被加湿ガスのそれぞれの利用率を一層向上させることにより、高分子電解質型燃料電池の性能を改善する。【解決手段】弾性体４ａ，４ｂの全周に形成した加湿側傾斜面と被加湿側傾斜面とのそれぞれに、被加湿側リブ４ｄと加湿側リブ４ｅとを形成する。前記両リブ４ｄ，４ｅは前記各傾斜面に所定間隔毎に一体的に突設する。これらのリブ４ｄ，４ｅは、単加湿器組立時に前記加湿側傾斜面と前記被加湿側傾斜面と大略平行なセパレータ５ａ，５ｂの傾斜面５ｆ，５ｇにより、それぞれ圧縮されて弾性変形することによって、セパレータ５ａ，５ｂに密着してガスリークを防止する。【選択図】図４
2008282555.tif 000002
【特許請求の範囲】
【請求項１】
水素を含む燃料ガスと、酸素を含む酸化剤ガスとを用いて発電を行う燃料電池と、該燃料電池に供給される前記燃料ガスまたは前記酸化剤ガスの少なくとも一方の被加湿ガスを順次加湿する加湿器とを備え、
前記加湿器は、前記燃料電池から排出される排燃料ガスまたは排酸化剤ガスの少なくとも一方の加湿ガスと前記被加湿ガスとを、ガス通路を有する支持部材で保持された水蒸気透過膜を介して配置され、かつ前記水蒸気透過膜と前記燃料ガスおよび前記酸化剤ガスを供給するガス供給部を具備した枠体とにより構成される水蒸気透過膜−枠接合体と、該水蒸気透過膜−枠接合体を前記被加湿ガス側および前記加湿ガス側から挟む一対のセパレータとにより構成される単加湿器を積層する構成とし、
前記枠体の内縁に弾性体を設け、該弾性体を、前記枠体に一体に接合し、かつ前記単加湿器の組立て後の前記水蒸気透過膜−枠接合体と前記セパレータとの間隔寸法以上の長さにし、該弾性体が前記単加湿器の組立て後に前記水蒸気透過膜−枠接合体の厚み方向に弾性変形して前記水蒸気透過膜−枠接合体と前記セパレータとの間を密着封止すると共に、
前記弾性体に、前記セパレータと接触して弾性変形可能な複数のリブを設けて、前記単加湿器の組立て後に前記リブが前記水蒸気透過膜−枠接合体の厚み方向に対して交差する方向に弾性変形可能にしたことを特徴とする燃料電池装置。
【請求項２】
前記複数のリブの間に前記リブが弾性変形した部分および前記弾性体が弾性変形した部分の逃げ込む凹部を備え、前記弾性体が弾性変形した部分および前記リブが弾性変形した部分を前記凹部内に延出可能にしたことを特徴とする請求項１記載の燃料電池装置。
【請求項３】
前記弾性体を、前記ガス供給部近傍において、前記単加湿器の組立て後の前記水蒸気透過膜−枠接合体と前記セパレータとの間隔寸法未満の長さとし、前記弾性体と前記セパレータとの間にガス供給用の空間を形成したことを特徴とする請求項１または２記載の燃料電池装置。
【請求項４】
前記弾性体を、前記水蒸気透過膜−枠接合体の前記被加湿ガス側または前記加湿ガス側の一方側のみに配置し、前記水蒸気透過膜−枠接合体の他方側には、前記枠体を内縁方向の中心側に向けて延在して前記セパレータの積層時に前記弾性体の圧縮圧を受ける延長部を設けたことを特徴とする請求項１〜３のいずれか１項記載の燃料電池装置。
【請求項５】
前記弾性体を、前記水蒸気透過膜−枠接合体の前記被加湿ガス側と前記加湿ガス側とのそれぞれに配置し、かつ前記被加湿ガス側の前記弾性体の位置と前記加湿ガス側の前記弾性体の位置とを相互にずらせて配置したことを特徴とする請求項１〜３のいずれか１項記載の燃料電池装置。
【発明の詳細な説明】
【技術分野】
【０００１】
本発明は、固体高分子型燃料電池を用いて発電と熱供給を行う燃料電池装置に係り、特に加湿器の水蒸気透過膜とセパレータとのシール構造の改良技術に関するものである。
【背景技術】
【０００２】
燃料電池システムでは、燃料電池において水素を含む燃料ガスと酸素を含む酸化剤ガスとを反応させることにより発電と発熱を行う。燃料電池により発生した熱は、冷却水を循環させることにより搬送され、燃料電池の温度を発電に適した所定の温度範囲内に保持し、さらに冷却水の熱を給湯器などで利用することにより、燃料電池システムのエネルギー効率が向上する。また、燃料電池システムでは、必要な電力量に応じて、発電量を変化させるために、燃料ガス流量，酸化剤ガス流量および冷却水流量などを調整して運転状態を変化させる。
【０００３】
固体高分子型燃料電池では、電解質としてプロトン伝導性を有する固体高分子電解質膜を用いるが、この固体高分子電解質膜は、湿潤状態である必要があり、乾燥状態または湿潤不足状態では、プロトン伝導性が悪化して発電性能が低下するため、燃料ガスと酸化剤ガスとの少なくとも一方を、加湿手段により加湿して、燃料電池に供給する構成としている。
【０００４】
前記燃料ガスと前記酸化剤ガスとの少なくとも一方の被加湿ガスの加湿手段としては、例えばヒータにより所定温度に加熱された温水中に被加湿ガスを通して加湿を行うバブラーがある（例えば、特許文献１参照）。
【０００５】
一方、水透過材料を用いて被加湿ガスと加湿ガスまたは温水との水蒸気分圧差を利用した加湿器として、被加湿ガスと燃料電池から排出されるオフガスとを保水性の多孔質体で隔て、少なくとも一方を多孔質体に接したメッシュ状の経路に導くことにより、被加湿ガスを加湿する加湿器（例えば、特許文献２参照）や、水蒸気透過膜により隔てられた経路に、被加湿ガスと、オフガスまたは燃料電池の冷却水の少なくとも一方の加湿流体とを導くことにより、被加湿ガスを加湿する加湿器（例えば、特許文献３参照）が提案されている。
【０００６】
図１０は従来の加湿器の構成を模式的に示す図、図１１は従来の異なる加湿器の構成を模式的に示す図である。
【０００７】
前記従来の加湿手段のうち、多孔質体を用いる加湿器は、図１０に示すように、前面のエンドプレート２０１と後面のエンドプレート２０２との間に、被加湿ガス用のメッシュプレート２０３とオフガス用のメッシュプレート２０４、および多孔質体２０５を交互に積層され、前面のエンドプレート２０１の上部には被加湿ガス入口マニホールド２０６が配設され、下部にはオフガス出口マニホールド２０７が配設されており、後面のエンドプレート２０２の上部にはオフガス入口マニホールド２０８が配設され、下部には被加湿ガス出口マニホールド２０９が配設されている構造になっている。そして、加湿手段に導入されたオフガスと被加湿ガスは、保水性の多孔質体２０５を介して互いに接触することにより湿熱交換が行われる構成となっている。
【０００８】
また、水蒸気透過膜を用いる加湿器は、図１１に示すように、基本構成としてオフガス流路２１０と被加湿ガス流路２１１とが一方の水蒸気透過膜２１２を介して配置され、さらに被加湿ガス流路２１１と電池冷却水加湿流路２１３とが、他方の水蒸気透過膜２１２を挟むようにして配置され、水蒸気透過膜２１２を介して被加湿ガスと加湿流体が接触することにより湿熱交換を行う構成となっている。
【０００９】
しかし、この従来の固体高分子電解質型燃料電池の加湿器は、図１２に示すように枠体３００とセパレータ３０１との組立て上の必要性から、枠体３００の内縁と水蒸気透過膜３０２との間に隙間３０３が存在することから、加湿器内に供給されたガスの一部は、この隙間３０３を通って排出されてしまうクロスリークといわれる現象が起きる。
【００１０】
また、前記水蒸気透過膜は、膜そのものであったり、膜を保護する膜で挟まれて接合されていたりする構造であって、その接合方法としては、熱圧着，接着剤，機械的クランプなどが採用されている。
【特許文献１】特開平７−２８８１３４号公報
【特許文献２】特開２０００−１６４２２９号公報
【特許文献３】特開２００４−３１０７３号公報
【発明の開示】
【発明が解決しようとする課題】
【００１１】
しかしながら、前記水蒸気透過膜の熱圧着または接着による接合方法では、水蒸気透過膜に熱、および接着剤の揮発成分による性能低下を招く可能性があり、使用条件が限られていた。また、前記機械的クランプによる接合方法では、水蒸気透過膜と枠体の微小な隙間からクロスリークが発生し易いという問題があった。
【００１２】
図１２に示す構成の問題に対応して図１３に示す構成では、枠体３００の内縁と水蒸気透過膜３０２との間に、図１２に示す隙間３０３の発生を防止するガスケット３０８を配置しているが、コストがかかるといった問題がある。さらに、このガスケット３０８を部分的に溶融させて隙間を埋めると、寸法管理が困難であるといった問題が生じる。
【００１３】
また、ガスケット３０８の内縁の一部と水蒸気透過膜３０２の外縁との部分的な接触では、シール効果が不十分であり、さらに、水蒸気透過膜３０２は、３０ミクロン程度と非常に薄いため、組み立て時に水蒸気透過膜３０２にダメージを与えやすいといった問題もある。
【００１４】
本発明の目的は、前記問題を解決することにあって、加湿器の水蒸気透過膜と枠体間の隙間をガスが抜けるクロスリーク現象を効果的に抑制することができ、かつ加湿ガスと被加湿ガスのそれぞれの利用率を一層向上させることができ、高分子電解質型燃料電池の性能をより改善することができる燃料電池装置を提供することにある。
【課題を解決するための手段】
【００１５】
前記目的を達成するため、請求項１に記載の発明は、水素を含む燃料ガスと、酸素を含む酸化剤ガスとを用いて発電を行う燃料電池と、該燃料電池に供給される前記燃料ガスまたは前記酸化剤ガスの少なくとも一方の被加湿ガスを順次加湿する加湿器とを備え、前記加湿器は、前記燃料電池から排出される排燃料ガスまたは排酸化剤ガスの少なくとも一方の加湿ガスと前記被加湿ガスとを、ガス通路を有する支持部材で保持された水蒸気透過膜を介して配置され、かつ前記水蒸気透過膜と前記燃料ガスおよび前記酸化剤ガスを供給するガス供給部を具備した枠体とにより構成される水蒸気透過膜−枠接合体と、該水蒸気透過膜−枠接合体を前記被加湿ガス側および前記加湿ガス側から挟む一対のセパレータとにより構成される単加湿器を積層する構成とし、前記枠体の内縁に弾性体を設け、該弾性体を、前記枠体に一体に接合し、かつ前記単加湿器の組立て後の前記水蒸気透過膜−枠接合体と前記セパレータとの間隔寸法以上の長さにし、該弾性体が前記単加湿器の組立て後に前記水蒸気透過膜−枠接合体の厚み方向に弾性変形して前記水蒸気透過膜−枠接合体と前記セパレータとの間を密着封止すると共に、前記弾性体に、前記セパレータと接触して弾性変形可能な複数のリブを設けて、前記単加湿器の組立て後に前記リブが前記水蒸気透過膜−枠接合体の厚み方向に対して交差する方向に弾性変形可能にしたことを特徴とする。
【００１６】
請求項２に記載の発明は、請求項１記載の燃料電池装置において、複数のリブの間にリブが弾性変形した部分および弾性体が弾性変形した部分の逃げ込む凹部を備え、弾性体が弾性変形した部分およびリブが弾性変形した部分を凹部内に延出可能にしたことを特徴とする。
【００１７】
請求項３に記載の発明は、請求項１または２記載の燃料電池装置において、弾性体を、ガス供給部近傍において、単加湿器の組立て後の水蒸気透過膜−枠接合体とセパレータとの間隔寸法未満の長さとし、弾性体とセパレータとの間にガス供給用の空間を形成したことを特徴とする。
【００１８】
請求項４に記載の発明は、請求項１〜３のいずれか１項記載の燃料電池装置において、弾性体を、水蒸気透過膜−枠接合体の被加湿ガス側または加湿ガス側の一方側のみに配置し、水蒸気透過膜−枠接合体の他方側には、枠体を内縁方向の中心側に向けて延在してセパレータの積層時に弾性体の圧縮圧を受ける延長部を設けたことを特徴とする。
【００１９】
請求項５に記載の発明は、請求項１〜３のいずれか１項記載の燃料電池装置において、弾性体を、水蒸気透過膜−枠接合体の被加湿ガス側と加湿ガス側とのそれぞれに配置し、かつ被加湿ガス側の弾性体の位置と加湿ガス側の弾性体の位置とを相互にずらせて配置したことを特徴とする。
【発明の効果】
【００２０】
本発明によれば、水蒸気透過膜などを保持する枠体の内側の縁部に、例えば平面的には枠状の加湿ガス側弾性体と平面的には枠状の被加湿ガス側弾性体と、所定間隔毎に多数配置された加湿ガス側リブと被加湿ガス側リブとをそれぞれ備えるようにしている。このようにすれば、単加湿器の組立時に、枠体と加湿ガス側セパレータとの間で加湿ガス側弾性体と加湿ガス側リブとをそれぞれ弾性変形させ、弾性変形した部分が、例えば隣接する加湿ガス側リブとの間の空間にそれぞれ入り込み、弾性変形した加湿ガス側弾性体と弾性変形した加湿ガス側リブがほぼ連続的に枠体と加湿ガス側セパレータとの間に密着接触して封止することにより、シール効果を奏することができる。
【００２１】
また、被加湿ガス側でも同様に、単加湿器の組立時に、枠体と被加湿ガス側セパレータとの間で被加湿ガス側弾性体と被加湿ガス側リブとをそれぞれ弾性変形させ、弾性変形した部分が、例えば隣接する被加湿ガス側リブとの間の空間にそれぞれ入り込み、弾性変形した被加湿ガス側弾性体と弾性変形した被加湿ガス側リブがほぼ連続的に枠体と被加湿ガス側セパレータとの間に密着接触して封止することにより、シール効果を奏することができる。
【００２２】
この結果、弾性変形した加湿ガス側弾性体と、弾性変形した加湿ガス側リブと、弾性変形した被加湿ガス側弾性体と、弾性変形した被加湿ガス側リブとにより枠体と加湿ガス側セパレータおよび被加湿ガス側セパレータとの間がそれぞれ密着封止されて、水蒸気透過膜と枠体間の隙間をガスが抜けるクロスリーク現象を効果的に抑制することができ、かつ枠体の縁部沿いの加湿ガスの短絡的な流れ、および枠体の縁部沿いの被加湿ガスの短絡的な流れをそれぞれ抑制することができて、加湿ガスと被加湿ガスのそれぞれの利用率を一層向上させることができ、高分子電解質型燃料電池の性能をより改善することができる。
【発明を実施するための最良の形態】
【００２３】
以下に、本発明に係る実施の形態を図面に基づいて詳細に説明する。
【００２４】
（第１実施形態）
図１は本発明の第１実施形態に係る燃料電池用スタック（以降、スタックという）を備える燃料電池装置の構成を模式的に示す構成図、図２は図１に示す第１実施形態が備える空気加湿器および燃料ガス加湿器の構成を模式的に示す分解図であって、空気加湿器と燃料ガス加湿器の構造はほぼ同じ構造である。
【００２５】
本実施形態において、燃料電池１０１は、例えば固体高分子電解質型燃料電池であって、水素を含有する燃料ガスと、空気など酸素を含有する酸化剤ガスとを、電気化学的に反応させることで、電力，熱および水を同時に発生させるものである。
【００２６】
図１に示すように、燃料電池１０１には、アノードおよびカソードの一対の極を備える燃料電池セル（あるいは単セル）が複数個直列に接続された積層構造を有するスタック１１９と、燃料ガスから水素を取り出す燃料処理装置１２４と、燃料処理装置１２４にて取り出された水素を含む燃料ガスを加湿することで発電効率を向上させる燃料ガス加湿器１２５と、酸素含有ガス（酸化剤ガス）に対して加湿を行う第１の加湿器１２１ａと第２の加湿器１２１ｂからなる空気加湿装置１２１と、燃料ガスと酸素含有ガスとをそれぞれ供給するための燃料供給装置１２３と、空気供給装置１２０とが備えられている。
【００２７】
すなわち、燃料処理装置１２４、燃料ガス加湿器１２５および燃料供給装置１２３により、燃料ガスをスタック１１９の各セルに供給する燃料供給部が構成されており、また、空気加湿装置１２１と空気供給装置１２０とにより、酸化剤ガスをスタック１１９の各セルに供給する酸化剤供給部が構成されている。
【００２８】
このような燃料供給部や酸化剤供給部は、燃料や酸化剤の供給を行う機能を備えていれば、その他の各種の形態を採用し得るが、本実施形態においては、スタック１１９が備えている複数のセルに対して、共通して加湿した燃料や酸化剤を供給する供給装置であれば、後述する本実施形態の効果を好適に得ることができる。
【００２９】
また、燃料電池１０１には、発電の際にスタック１１９にて発生する熱を効率的に除去するため、冷却水を循環供給するための冷却水ポンプ１２８と、この冷却水（例えば、導電性を有さない液体、例えば純水が用いられる）により除去された熱を、水道水などの流体に熱交換するための熱交換器１２６と、熱交換された水道水を貯留させる貯湯タンク１２９とが備えられている。なお、図１中の１２７は冷却水タンク、１３０は空気フィルタ、１４２は貯湯水ポンプを示す。
【００３０】
図２に示すように、本燃料電池１０１が具備する空気加湿装置１２１と燃料ガス加湿器１２５の構造は、ほぼ同じ構造をしており、基本単位構成である単加湿器２０を複数個積層し、端板２３で両側から所定の荷重で締結して構成されている。それぞれの端板２３は、複数枚積層された単加湿器２０を図示しない加圧手段によって所定の荷重で締結して保持している。また、それぞれの端板２３は、ガスや冷却水の導入口，排出口（図示せず）が設けられている場合もある。
【００３１】
図２に示すように、単加湿器２０は、水蒸気透過膜１ａを一対のセパレータ５ａ，５ｂで挟み込むようにして構成されている。水蒸気透過膜１ａは、薄くて伝熱性能がよく、ガスシール性に優れた、厚さ１５μｍから３０μｍのフッ素樹脂系イオン交換膜（ジャパンゴアテックス社製Ｇｏｒｅ−ｓｅｌｅｃｔ）を用いるものとする。
【００３２】
セパレータ５ａ，５ｂは、ガス不透過性の材料であればよく、例えば熱伝導性に優れた樹脂含浸カーボン材料を所定の形状に切削したもの、カーボン粉末と樹脂材料の混合物を成形したものや、吸湿性の少ない樹脂材料が一般的に用いられる。セパレータ５ａ，５ｂにおける水蒸気透過膜１５の湿度交換部分には凹部が形成されている。
【００３３】
図３は本実施形態における前記単加湿器の一例の構成図であって、図３（ａ）は分解断面図、図３（ｂ）は組立時の断面図である。
【００３４】
単加湿器２０は、水蒸気透過膜１ａと、加湿部の周縁部に置かれかつ加湿側に加湿流体および被加湿側に燃料ガスまたは酸化剤ガスを供給するガス供給部（後述する）を具備した枠体２とにより構成される水蒸気透過膜−枠接合体１５と、水蒸気透過膜−枠接合体１５を加湿側および被加湿側から挟む一対のセパレータ５ａ，５ｂとにより構成され、この単加湿器２０を積層して燃料電池用加湿器を構成するようにしている。
【００３５】
枠体２を構成する熱可塑性樹脂は、加湿器の運転温度以下において、化学的に清浄かつ安定であって、適度の弾性率と比較的高い加重たわみ温度を有する。具体的には枠体２は化学的安定性の観点から、非晶性樹脂ではなく結晶性樹脂で構成されることが好ましく、その中でも機械的強度が大きくかつ耐熱性の高い材料が好ましい。
【００３６】
例えば、いわゆるスーパーエンジニアリングプラスチックグレードのものが好適であり、ポリフェニレンサルファイド（ＰＰＳ），ポリエーテルエーテルケトン（ＰＥＥＫ），結晶ポリマー（ＬＣＰ）ポリエーテルニトリル（ＰＥＮ）などが例示できる。これらは、数千から数万ＭＰａの圧縮弾性率と、１５０℃以上の撓み荷重温度を有しており好適な材料である。また、汎用されている樹脂材料であっても、例えば、ガラスフィラーが充填されたポリプロピレン（ＧＦＰＰ）などは、非充填のポリプロピレン（圧縮弾性率１０００〜１５００ＭＰａ）の数倍の弾性率を有し、かつ１５０℃近い撓み荷重温度を有しており、好適に使用できる。本実施形態においては、熱可塑性樹脂であるガラスフィラー添加ポリプロピレン（出光石油化学株式会社Ｒ３５０Ｇ）を用いている。
【００３７】
また、枠体２には、熱可塑性樹脂または熱可塑性エラストマーを２色成形することによりガスケット３ａ，３ｂを形成する。この熱可塑性樹脂または熱可塑性エラストマーは、加湿器の運転条件下において化学的に安定で、特に加水分解をおこさないなど耐熱水性を有する。例えば、ガスケットの圧縮弾性率は２００ＭＰａ以下であることが好ましい。好適な材料は、ポリエチレン，ポリプロピレン，ポリブチレン，ポリスチレン，ポリ塩化ビニル，ポリ塩化ビニリデン，ポリビニルアルコール，ポリアクリルアミド，ポリアミド，ポリカーボネート，ポリアセタール，ポリウレタン，シリコーン，フッ素樹脂，ポリブチレンテレフタレート，ポリエチレンテレフタレート，シンジオタクチック・ポリスチレン，ポリフェニレンサルファイド，ポリエーテルエーテルケトン，ポリスルホン，ポリエーテルサルホン，ポリアリレート，ポリアミドイミド，ポリエーテルイミド、および熱可塑性ポリイミドなどからなる群より選ばれる。これによって、加湿器の締結荷重において良好なシール性を確保することができる。本実施形態においては、ポリオレフィン系熱可塑性エラストマーであるサントプレン８２０１−６０（Ａｄｖａｎｃｅｄ  Ｅｌａｓｏｔｏｍｅｒ  Ｓｙｓｔｅｍ社製）を用いている。
【００３８】
前記構成において、例えば、水蒸気透過膜１ａは、枠体２の水蒸気透過膜挿入用スリット２ａに挿入して挟持させることにより機械的に接合されている。
【００３９】
なお、後述する弾性体を設けない場合の単加湿器組立後の状態（図示せず）では、水蒸気透過膜１ａの有効加湿部加湿側の外縁と被加湿側の外縁のそれぞれと、枠体２の内縁２ｂ，２ｃとの間には０．１ｍｍ〜１０ｍｍの範囲で隙間がある。
【００４０】
すなわち、図３（ａ）のように、枠体２の加湿側の内縁２ｂに接触するように平面的には矩形枠状で断面的には矩形（図４（ａ），（ｂ）の拡大図では大略平行四辺形）の加湿側弾性体４ａを配置し、この加湿側弾性体４ａを枠体２と成形時に一体化させる。また、枠体２の被加湿側の内縁２ｃに接触するように平面的には矩形枠状で断面的には矩形（図４（ａ），（ｂ）の拡大図では大略平行四辺形）の被加湿側弾性体４ｂを配置し、この被加湿側弾性体４ｂを枠体２と成形時に一体化させる。これらの弾性体４ａ，４ｂは、この場合、水蒸気透過膜１ａには、それぞれ当接することにより機械的に接合しているだけで、接着している必要はない。
【００４１】
このように弾性体４ａ，４ｂを設けた状態で、セパレータ５ａ，５ｂを枠体２に積層して組み立てるとき、枠体２の枠体組立面９とセパレータ５ａ，５ｂのそれぞれのセパレータ組立面１０とはそれぞれ接近することになるが、このとき、枠体２とセパレータ５ａ，５ｂとの隙間７よりも、弾性体４ａ，４ｂとセパレータ５ａ，５ｂとの対向面間の隙間８を小さく設定するように、弾性体４ａ，４ｂを設けている。
【００４２】
このように構成することにより、図３（ｂ）に示す組立時に、枠体２の枠体組立面９とセパレータ５ａ，５ｂのそれぞれのセパレータ組立面１０とが、それぞれ最接近位置に位置する前に、弾性体４ａ，４ｂが、セパレータ５ａ，５ｂにそれぞれ確実に接触して、弾性変形を開始することになる。そして、組立完成後、言い換えれば、枠体２の枠体組立面９とセパレータ５ａ，５ｂのそれぞれのセパレータ組立面１０とが、それぞれ最接近位置に位置した後は、図３（ｂ）に示すように、弾性体４ａ，４ｂがセパレータ５ａ，５ｂにより押圧されて、それぞれ弾性変形した状態となり、弾性体４ａ，４ｂがセパレータ５ａ，５ｂ側からそれぞれ圧縮力を受けることになる。
【００４３】
弾性体４ａ，４ｂの内縁は、セパレータ５ａ，５ｂを枠体２に積層して組み立てるとき、これらの弾性体４ａ，４ｂがセパレータ５ａ，５ｂに接触しても、弾性体４ａ，４ｂの弾性力によりセパレータ５ａ，５ｂが破損する可能性が低いため、セパレータ５ａ，５ｂと弾性体４ａ，４ｂとの隙間６は、従来の弾性体が無かったときよりも狭く設定することができる。場合によっては、前記隙間６の距離がゼロでも弾性体４ａ，４ｂがあるため問題はない。
【００４４】
また、図４（ａ），（ｂ）に示すように、弾性体４ａ，４ｂの全周に形成された加湿側傾斜面と被加湿側傾斜面に、被加湿側リブ４ｄと加湿側リブ４ｅとをそれぞれ突設するようにしている。各リブ４ｄ，４ｅは、前記したそれぞれの傾斜面に所定間隔毎に一体的に突起として形成している。これらのリブ４ｄ，４ｅは、図４（ｃ），（ｄ）に示すように、単加湿器組立時に、加湿側傾斜面と被加湿側傾斜面と大略平行なセパレータ５ａ，５ｂの傾斜面５ｆ，５ｇにより、それぞれ圧縮されて弾性変形することによって、セパレータ５ａ，５ｂに密着してガスリークを防止しようとするものである。
【００４５】
それぞれのリブ４ｄ，４ｅが圧縮されて弾性変形するときの弾性変形した部分は、隣接する被加湿側リブ４ｄと加湿側リブ４ｅとの間の被加湿側凹部（圧縮体積逃がし部）４ｆ、または隣接する加湿側リブ４ｅと加湿側リブ４ｅとの間の加湿側凹部（圧縮体積逃がし部）４ｇ内にそれぞれ逃げるようにしている。
【００４６】
これらの凹部４ｆ，４ｇは、図４（ｅ）に示すように、単加湿器組立時にセパレータ５ａ，５ｂにより、被加湿側弾性体４ａと加湿側弾性体４ｂがそれぞれ、例えば０．１ｍｍだけ圧縮可能に設定されるとともに、被加湿側リブ４ｄと加湿側リブ４ｅが、それぞれ、例えば０．０５ｍｍだけ圧縮可能に設定されている。
【００４７】
そして、加湿側凹部４ｆの総体積は、平面的に矩形枠状の加湿側弾性体４ｂの全周の体積と、加湿側弾性体４ｂの長手方向沿いに一定ピッチ間隔で設けられたリブ４ｅの総体積との総和にほぼ相当するように設定する。これは、言い換えると、単加湿器組立時に、セパレータ５ｂと枠体２の縁部との間で圧縮されて弾性変形するとき、加湿側弾性体４ｂの弾性変形した部分と、リブ４ｅが弾性変形した部分が共に加湿側凹部４ｇ内に入り込むことにより、加湿側凹部４ｇがほぼ隙間なく弾性変形部分で満たされてシールされることを意味する。
【００４８】
同様に、被加湿側凹部４ｆの総体積は、平面的に矩形枠状の被加湿側弾性体４ａの全周の体積と、被加湿側弾性体４ａの長手方向沿いに一定ピッチ間隔で設けられたリブ４ｄの総体積との総和にほぼ相当するように設定する。これは、言い換えると、単加湿器組立時に、セパレータ５ａと枠体２の縁部との間で圧縮されて弾性変形するとき、被加湿側弾性体４ａの弾性変形した部分と、リブ４ｄが弾性変形した部分が共に被加湿側凹部４ｆ内に入り込むことにより、被加湿側凹部４ｆｇがほぼ隙間なく弾性変形部分で満たされてシールされることを意味する。このように設定することによって、セパレータ組立後に、凹部４ｆ，４ｇの隙間が無くなり、ガスリークを効果的に防止することができる。
【００４９】
加湿側凹部４ｇの底面と被加湿側凹部４ｆの底面は、それぞれ弾性体４ａ，４ｂの加湿側傾斜面と被加湿側傾斜面となっている。
【００５０】
なお、枠体２には、図５（ａ）〜（ｃ）に示すように、それぞれ少なくとも各一対の被加湿ガス用マニホールド孔１５ａ，加湿流体用マニホールド孔１５ｂ，加熱温水用マニホールド孔１５ｃが設けられ、また、単加湿器２０同士を締結するボルト（図示せず）を貫通させるための複数個の貫通孔１６を有している。
【００５１】
枠体２の一対の加湿流体用マニホールド孔１５ｂからは加湿側の水蒸気透過膜に加湿流体を供給して排出する。枠体２の一対の被加湿ガス用マニホールド孔１５ａから被加湿側の水蒸気透過膜に被加湿ガスを供給して排出する。また、隣接する単加湿器２０同士のセパレータ５ａ，５ｂの互いに対向する背面間には、一対の加熱温水用マニホールド孔１５ｃから加熱温水を供給して排出する。
【００５２】
枠体２は、さらに、加湿側の表面である枠体組立面９に、加湿流体用マニホールド孔１５ｂおよび加湿流体流路２ｙを含み、かつ加湿側の水蒸気透過膜において加湿ガスが通過する全領域を囲むガスケット３ｂを、平面的には矩形枠状で断面的には半円形状の凸部となるように形成している。
【００５３】
また、枠体２の被加湿側の水蒸気透過膜が位置する側の表面である枠体組立面９に、被加湿ガス用マニホールド孔１５ａおよび被加湿ガス流路２ｘを含み、かつ被加湿側の水蒸気透過膜において被加湿ガスが通過する全領域を囲むガスケット３ａを、平面的には矩形枠状で断面的には半円形状の凸部となるように形成している。
【００５４】
また、各ガスケット３ａおよび３ｂにおいて、前記それぞれのガスが通過する領域とは隔離して加熱流体用マニホールド孔１５ｃのみを囲むようにしている。よって、単加湿器組立後には、ガスケット３ａ，３ｂがセパレータ５ａ，５ｂのセパレータ組立て面１０に設けられた凹部５ｄ，５ｅ内にそれぞれ挿入され、当接して弾性変形することにより、加湿側と被加湿側とで、それぞれ独立して被加湿ガスおよび加湿流体のリーク並びに加熱温水のリークを防止するようにしている。
【００５５】
また、図６に示すように、水蒸気透過膜１ａの加湿側の水蒸気透過膜面において、加湿流体用マニホールド孔１５ｂから加湿側の水蒸気透過膜側へのガス流路１９は、枠状の加湿側弾性体４ｂのうちの一部であって、かつ枠体２のガス流路部２ｙに相当するガス流路部分４ｂ−１を、枠体２の厚さと同じ程度に低くし、かつ、この加湿側弾性体４ｂのガス流路部分４ｂ−１に対向する加湿側セパレータ５ｂのガス流路部には、ガス流路部用凹部５ｂ−１（図６で符号５ｂ−１で示された平行四辺形の斜線部分の凹部）を形成している。よって、単加湿器組立後には、加湿側弾性体４ｂのガス流路部分４ｂ−１と加湿側セパレータ５ｂとの間には、ガス供給用の空間を確実に形成することができる。なお、加湿側弾性体４ｂのガス流路部分４ｂ−１の近傍には加湿側リブ４ｅは設けないようにして、ガス流路を確保するようにすることが好ましい。
【００５６】
また、被加湿側も同様な構造であって、水蒸気透過膜１５の被加湿側の水蒸気透過膜の面において、被加湿ガス用マニホールド孔１５ａより被加湿側の水蒸気透過膜側へのガス流路１９は、枠状の被加湿側弾性体４ａのうちの一部であって、かつ枠体２のガス流路部２ｘに相当するガス流路部分４ａ−１（前記ガス流路部分４ｂ−１と同様な部分）を、枠体２の厚さと同じ程度に低くし、かつ、この被加湿側弾性体４ａのガス流路部分４ａ−１に対向する被加湿側セパレータ５ａのガス流路部には、ガス流路部用凹部（図６のガス流路部用凹部５ｂ−１と同様な部分であって、図示せず）を形成している。
【００５７】
よって、単加湿器組立後には、被加湿側弾性体４ａのガス流路部分４ａ−１と被加湿側セパレータ５ａとの間には、ガス供給用の空間を確実に形成することができる。なお、被加湿側弾性体４ａのガス流路部分４ａ−１の近傍には被加湿側リブ４ｄは設けないようにして、ガス流路を確保するようにすることが好ましい。
【００５８】
前記弾性体４ａ，４ｂおよび前記リブ４ｄ，４ｅの材料の一例としては熱可塑性エラストマーが好ましい。
【００５９】
なお、弾性体，リブ，ガスケットの具体的な材料の例としては、ＡＥＳジャパン製のサントプレーン（登録商標）の８２０１−６０挙げられる。また、弾性体およびリブにおいて、弾性変形をそれぞれ確実に行わせるための条件としては、ＪＩＳ  Ｋ  ６２５３で規定されているＡ５０〜Ａ９０またはＤ３７〜Ｄ６０の弾性を有すればよい。
【００６０】
枠体２の具体的な材料の例としては、株式会社プライムポリマーのＲ−２５０Ｇまたは３５０Ｇであり、セパレータ５ａ，５ｂの具体的な材料の例としては、外寸１２０ｍｍ×１２０ｍｍ、厚み３．０ｍｍの樹脂含浸黒鉛板（東海カーボン（株）製グラッシーカーボン）、大日本インキのＰＰＳ（２１４０−Ｂ２）、株式会社プライムポリマーのＲ−２５０Ｇまたは３５０Ｇが挙げられる。
【００６１】
単加湿器２０の組立時にセパレータ５ａ，５ｂが水蒸気透過膜−枠接合体１５に積層されると、図３（ｂ），図４（ｃ），図４（ｄ）に示すように、弾性体４ａ，４ｂとリブ４ｄ，４ｅは、セパレータ５ａ，５ｂによってそれぞれ圧縮される。この結果、弾性体４ａ，４ｂの圧縮力により水蒸気透過膜１ａを、水蒸気透過膜１ａの厚み方向沿いに加圧するため、水蒸気透過膜１ａと弾性体４ａ，４ｂは接着していなくとも、この加圧力と弾性体４ａ，４ｂの弾力で、弾性体４ａ，４ｂと水蒸気透過膜１ａの隙間１２（図３（ａ）参照）は確実に封止される。
【００６２】
また、セパレータ５ａ，５ｂと枠体２との間における弾性体４ａ，４ｂとリブ４ｄ，４ｅの弾性変形により、水蒸気透過膜１ａの有効加湿範囲の外縁のそれぞれと枠体２の内縁との間の隙間６（図３（ａ）参照）も図１２の従来例よりも大幅に小さく、すなわち隙間６の空間を大幅に小さくすることができるか、隙間６を無くすことができる。
【００６３】
したがって、本第１実施形態によれば、水蒸気透過膜１ａなどを保持する枠体２の内側の縁部に、平面的には枠状の被加湿側弾性体４ａと平面的には枠状の加湿側弾性体４ｂと、所定間隔毎に多数配置された被加湿側リブ４ｄと加湿側リブ４ｅとを、それぞれ備えるようにしたので、単加湿器２０の組立時に、枠体２と被加湿側セパレータ５ａとの間で被加湿側弾性体４ａと被加湿側リブ４ｄとを、それぞれ水蒸気透過膜−枠接合体１５の厚み方向に対して交差する方向に弾性変形させ、弾性変形した部分が、隣接する被加湿側リブ４ｄ間の空間である被加湿側凹部（圧縮体積逃がし部）４ｆ内にそれぞれ入り込み、弾性変形した被加湿側弾性体４ａと弾性変形した被加湿側リブ４ｄが、ほぼ連続的に枠体２と被加湿側セパレータ５ａとの間に密着接触して封止することにより、シール効果を奏することができる。
【００６４】
また、加湿側でも同様に、単加湿器２０の組立時に、枠体２と加湿側セパレータ５ｂとの間で加湿側弾性体４ｂと加湿側リブ４ｅとをそれぞれ弾性変形させ、弾性変形した部分が、隣接する加湿側リブ４ｅとの間の空間である加湿側凹部（圧縮体積逃がし部）４ｇ内にそれぞれ入り込み、弾性変形した加湿側弾性体４ｂと弾性変形した加湿側リブ４ｅがほぼ連続的に枠体２と加湿側セパレータ５ｂとの間に密着接触して封止することにより、シール効果を奏することができる。
【００６５】
この結果、弾性変形した被加湿側弾性体４ａと弾性変形した被加湿側リブ４ｄと弾性変形した加湿側弾性体４ｂと弾性変形した加湿側リブ４ｅとにより枠体２と被加湿側セパレータ５ａおよび加湿側セパレータ５ｂの間がそれぞれ密着封止されて、水蒸気透過膜１ａと枠体２との間の隙間１２を抜けるクロスリーク現象（従来例において、図５（ａ）に矢印１８で示すようなクロスリークが発生する現象）を効果的に抑制することができ、かつ、図３（ａ）に示す枠体２の縁部沿いの被加湿ガス（還元剤ガス）１１ａの短絡的な流れ、および枠体２の縁部沿いの加湿ガス（酸化剤ガス）１１ｂの短絡的な流れを、それぞれ抑制することができて、被加湿ガス１１ａと加湿流体１１ｂのそれぞれの利用率を一層向上させることができ、高分子電解質型燃料電池用加湿器の性能をより改善することができる。
【００６６】
（第２実施形態）
図７は本発明の第２実施形態の燃料電池装置における単加湿器の構成図であって、図７（ａ）は分解断面図、図７（ｂ）は組立時の断面図である。
【００６７】
第２実施形態においては、前記第１実施形態における単加湿器のように、被加湿側セパレータ５ａの傾斜面５ｆと加湿側セパレータ５ｂの傾斜面５ｇとを、平面的に全周枠状に設けるのではなく、部分的に設けるようにしたものである。
【００６８】
第１実施形態では、弾性体４ａ，４ｂの被加湿側傾斜面と加湿側傾斜面を、被加湿側凹部４ｆの底面と加湿側凹部４ｇの底面としたが、これに限られるものでなく、被加湿側リブ４ｄの表面と加湿側リブ４ｅの表面として捉えてもよい。また、被加湿側凹部４ｆの底面と加湿側凹部４ｇの底面、または被加湿側リブ４ｄの表面と加湿側リブ４ｅの表面は、それぞれセパレータ５ａ，５ｂの傾斜面５ｆ，５ｇと大略平行に形成するものに限らず、多少傾斜角度が異なってもよく、要するに単加湿器組立時に、被加湿側リブ４ｄと加湿側リブ４ｅの弾性変形による密着封止効果を奏することができればよい。
【００６９】
このように設定すると、水蒸気透過膜−枠接合体１５とセパレータ５ａ，５ｂの積層時に、弾性体４ａ，４ｂの上面だけでなく、弾性体４ａ，４ｂの傾斜面側でも被加湿側リブ４ｄと加湿側リブ４ｅにより安定して密着封止することができるため、被加湿ガス１１ａおよび加湿流体１１ｂのそれぞれの遮断性が一層向上することになる。また、これらの傾斜面は単加湿器積層組立時に、水蒸気透過膜−枠接合体１５とセパレータ５ａ，５ｂとの相対的な位置決めを容易にするなどのガイドの機能も果たすことができ、組立性を向上させることができる。
【００７０】
なお、本発明は前記実施形態に限定されるものではなく、その他種々の態様で実施できる。
【００７１】
例えば、図７（ａ），（ｂ）に示すように、水蒸気透過膜１ａにおいて、弾性体４ａ，４ｂにて成形一体化される範囲以上に、水蒸気透過膜１ａを保護するために、さらに一層の補強膜１３があっても、同様の効果が得られる。
【００７２】
また、他の変形例としては、前記各実施形態において、被加湿側弾性体４ａと加湿側弾性体４ｂが配置された部分では、この弾性変形効果によって、ガスケット３ａ，３ｂと同様なガスのシール効果が得られ、被加湿ガス１１ａおよび加湿流体１１ｂが、それぞれシールされるため、外周にガスケット３ａ，３ｂを配置しない構造も可能となる。
【００７３】
また、他の変形例としては、前記各実施形態において、図８に示すように、前記実施形態の弾性体４ａまたは４ｂと同様な弾性体４ｈを、被加湿側または加湿側の片方にのみ、全周あるいは部分的に配置し、他方にはセパレータ５ａ，５ｂの積層時の弾性体４ｈの圧縮圧を受けるために、枠体２を内縁方向の中心側に向けて延長した延長部２ｈを形成するようにしてもよい。このように弾性体４ｈは、片方だけでも相応の効果が得られるとともに、水蒸気透過膜−枠接合体１５の被加湿側又は前記加湿側の一方側にのみ弾性体４ｈを配置すればよいので、製造上、容易になる。
【００７４】
また、他の変形例としては、前記各実施形態において、図９に示すように、弾性体４ａ，４ｂを、水蒸気透過膜−枠接合体１５の被加湿側と加湿側とで相互に設置位置をずらすようにしてもよい。このようにすることにより、一体化成形時の成形圧力を受け易くし、成形時の成形圧力に対する弾性体４ａ，４ｂのそれぞれの耐変形強度を小さくすることができて、単加湿器２０の設計自由度を高めることができる。この場合の弾性体４ｂ，４ｃも、全周あるいは部分的に配置するようにしてもよい。
【００７５】
（実施例１）
前記第１実施形態に係る燃料電池用加湿器について、実施例１にてより具体的に説明する。
【００７６】
図７および図５において、水蒸気透過膜１ａは、水分を選択的に透過させる膜であり、例えばフッ素樹脂系の高分子電解質膜が用いられる。本例では、３０μｍの厚さのＧＯＲＥ社製ＬＣ−０１を用いトムソン型により打ち抜いて形成した。この水蒸気透過膜１ａをインサート部品として、グラスファイバー添加ポリプロピレン（例えば、株式会社プライムポリマーのＲ３５０Ｇ）を用いて、枠体２を樹脂成形により形成した。
【００７７】
このようにして形成した枠体２には、図５に示すように、少なくとも各一対の被加湿ガス用マニホールド孔１５ａ，加湿流体用マニルド孔１５ｂ，加熱流体用マニホールド孔１５ｃが設けられ、また単加湿器を締結するボルトを貫通させるための複数個の貫通孔１６を形成する。
【００７８】
枠体２は、加湿側の水蒸気透過膜の表面である枠体組立面９に、加湿流体用マニホールド孔１５ｂおよび加湿流体流路２ｙを含み、かつ加湿側の水蒸気透過膜において加湿流体が通過する全領域を囲むと共に、加熱流体用マニホールド孔１５ｃを囲むガスケット３ｂを有している。さらに枠体２は、被加湿側の水蒸気透過膜の表面である枠体組立面９に、被加湿ガス用マニホールド孔１５ａおよび被加湿ガス流路２ｘを含み、かつ被加湿側の水蒸気透過膜において被加湿ガスが通過する全領域を囲むと共に、加熱流体用マニホールド孔１５ｃを囲むガスケット３ｂを同様に有している。
【００７９】
また、被加湿側の水蒸気透過膜および加湿側の水蒸気透過膜の両面において、被加湿ガス用マニホールド孔１５ａおよび加湿流体用マニホールド孔１５ｂよりそれぞれの水蒸気透過膜側へのガス流路１９は、図６に示すように、枠状の弾性体４ａ，４ｂのうちの一部であって、かつ枠体２のガス流路部２ｘ，２ｙに相当するガス流路部分４ａ−１，４ｂ−１をを、枠体２の厚さと同じ程度に低くし、かつ、この弾性体４ａ，４ｂのガス流路部分４ａ−１，４ｂ−１に対向するセパレータ５ａ，５ｂのガス流路部には、ガス流路部用凹部５ａ−１（図示せず），５ｂ−１を形成して、ガス流路方向に補強のためのリブ４ｄ，４ｅを設けた。
【００８０】
本実施例では、図６に示す各電極１ｂ，１ｃの外縁は、１２０ｍｍ角で厚さは０．５ｍｍ、枠体２は厚さ２ｍｍで内縁は１２５ｍｍ角とした。そして、この枠体２の内縁の間に、熱可塑性エラストマーを成形することにより、水蒸気透過膜１ａと枠体２を一体化した。弾性体４ａ，４ｂとしては熱可塑性エラストマーを使用し、初期厚さ２．２ｍｍで、セパレータ５ａ，５ｂにて、弾性体４ａ，４ｂのセパレータ５ａ，５ｂへの接合面を枠体２と同一面に設定することで、積層時の弾性体圧縮量は、被加湿側と加湿側とを各々０．１０ｍｍに設定した。
【００８１】
弾性体４ａ，４ｂの内縁側の水蒸気透過膜面側への傾斜面としては、水蒸気透過膜１ａに対する直交方向に対して、３０度だけ傾斜するように形成した。
【００８２】
以上のように製作した水蒸気透過膜−枠接合体１５を被加湿側用セパレータ５ａと加湿側用セパレータ５ｂで両側から挟み込むことにより、単加湿器２０とした。
【００８３】
このような単加湿器２０を１０セル積層して、積層した１０セルの両端部を、図２に示す樹脂製の端板２３と締結ロッドで固定し、加湿流体と被加湿ガスを通じ、加熱温水を循環して加湿試験を行った結果、弾性体無しの場合に比較し、ガス利用率を６％向上させることができた。
【００８４】
なお、前記様々な実施形態のうちの任意の実施形態を適宜組み合わせることにより、それぞれの有する効果を奏するようにすることができる。
【産業上の利用可能性】
【００８５】
本発明に係る燃料電池装置における加湿器は、水蒸気透過膜と枠体との間の隙間を抜けるクロスリーク現象を効果的に抑制することができ、かつ、被加湿ガスと加湿流体のそれぞれの利用率を一層向上させることができ、高分子電解質型燃料電池用加湿器の性能をより改善することができる燃料電池用加湿器として有用である。
【図面の簡単な説明】
【００８６】
【図１】本発明の第１実施形態に係るスタックを備える燃料電池装置の構成を模式的に示す構成図
【図２】図１に示す第１実施形態が備える空気加湿器および燃料ガス加湿器の構成を模式的に示す分解図
【図３】第１実施形態における単加湿器の構成図であって、（ａ）は分解断面図、（ｂ）は組立時の断面図
【図４】第１実施形態における単加湿器の要部を拡大して示す図であって、（ａ）は一部透視した状態での斜視図、（ｂ）は一部拡大断面模式図、（ｃ）は一部透視した状態での斜視図、（ｄ）は一部拡大断面模式図、（ｅ）は弾性体付近の拡大断面模式図、
【図５】第１実施形態における単加湿器の枠体を示す図であって、（ａ）は枠体の平面図、（ｂ）は枠体の被加湿側の表面の正面図、（ｃ）は枠体の加湿側の表面の正面図
【図６】第１実施形態における単加湿器のガス流路部分の概略断面図
【図７】本発明の第２実施形態における単加湿器の構成図であって、（ａ）は分解断面図、（ｂ）は組立時の断面図
【図８】第１，第２実施形態の変形例を説明するための概略断面図
【図９】第１，第２実施形態の他の変形例を説明するための概略断面図
【図１０】従来の加湿器の構成を示す模式図
【図１１】従来の他の加湿器の構成を示す模式図
【図１２】従来例の固体高分子電解質型燃料電池用加湿器における水蒸気透過膜−接合体とセパレータの分解断面図
【図１３】従来例の固体高分子電解質型燃料電池用加湿器における水蒸気透過膜−接合体の断面図
【符号の説明】
【００８７】
１ａ  水蒸気透過膜
２  枠体
２ｈ  延長部
２ｘ，２ｙ  ガス供給部
３ａ，３ｂ  ガスケット
４ａ  被加湿側弾性体
４ａ−１  ガス流路部分
４ｂ  加湿側弾性体
４ｂ−１  ガス流路部分
４ｄ  被加湿側リブ
４ｅ  加湿側リブ
４ｆ  被加湿側凹部（圧縮体積逃がし部）
４ｇ  加湿側凹部（圧縮体積逃がし部）
４ｈ  片側の弾性体
５ａ  被加湿側セパレータ
５ｂ  加湿側セパレータ
５ｄ  被加湿側セパレータの凹部
５ｅ  加湿側セパレータの凹部
５ｆ  被加湿側セパレータ傾斜面
５ｇ  加湿側セパレータの傾斜面
６  加湿有効範囲の外縁と枠体の内縁との隙間
７  隙間
８  弾性体とセパレータとの隙間
９  枠体組立面
１０  セパレータ組立面
１１ａ  還元剤ガス（被加湿ガス）
１１ｂ  酸化剤ガス（加湿ガス）
１２  弾性体と高分子電解質膜との隙間
１３  補強膜
１５  水蒸気透過膜−枠接合体
１５ａ  被加湿ガス用マニホールド孔
１５ｂ  加湿流体用マニホールド孔
１５ｃ  加熱温水用マニホールド孔
１６  貫通孔
１８  クロスリーク
１９  ガス流路
２０  単加湿器
１１９  スタック
１２０  空気供給装置
１２１  空気加湿装置
１２１ａ  第１の加湿器
１２１ｂ  第２の加湿器
１２２  酸化剤供給装置
１２４  燃料処理装置
１２５  燃料ガス加湿器
１２６  熱交換器
１２７  冷却水タンク
１２８  冷却水ポンプ
１２９  貯湯タンク
１３０  空気フィルタ
１４２  貯湯水ポンプ
【図１】
2008282555.tif 000003
【図２】
2008282555.tif 000004
【図３】
2008282555.tif 000005
【図４】
2008282555.tif 000006
【図５】
2008282555.tif 000007
【図６】
2008282555.tif 000008
【図７】
2008282555.tif 000009
【図８】
2008282555.tif 000010
【図９】
2008282555.tif 000011
【図１０】
2008282555.tif 000012
【図１１】
2008282555.tif 000013
【図１２】
2008282555.tif 000014
【図１３】
2008282555.tif 000015
【手続補正書】
【提出日】平成19年5月17日(2007.5.17)
【手続補正１】
【補正対象書類名】図面
【補正対象項目名】図５
【補正方法】変更
【補正の内容】
【図５】
2008282555.tif 000016